【手続補正書】
【提出日】平成23年3月30日(2011.3.30)
【手続補正１】
【補正対象書類名】特許請求の範囲
【補正対象項目名】全文
【補正方法】変更
【補正の内容】
【特許請求の範囲】
【請求項１】
マンウェイカバーの取り外しおよび設置を取り扱うための可搬式マンウェイヒンジ装置であって、
１対のヒンジプレートであって、ヒンジプレートのそれぞれは、マンウェイカバーおよびマンウェイフランジのボルト開口部に位置を合わせるために配置するヒンジ穴を有する支持部材を有する、ヒンジプレートと、
前記ヒンジプレートのそれぞれの第１端部に隣接し、前記ヒンジプレートの平面から突出する結合部材と、
前記１対のヒンジプレートの前記結合部材のオーバーラッピング対を接続するピボット接続部とを備える、ことを特徴とするヒンジ装置。
【請求項２】
前記結合部材が、結合部材本体と前記結合部材本体の一端における結合部材タブとを有し、かつ前記結合部材本体の平面から突出する、調節可能な結合部材であり、前記結合部材タブが、ヒンジプレートにおける結合部材スロットを通して延び、前記結合部材本体が、前記ヒンジプレートに固定する、ことを特徴とする請求項１に記載のヒンジ装置。
【請求項３】
前記調節可能な結合部材が、前記結合部材本体と前記ヒンジプレートとの間に配置する調整スペーサを更に含む、ことを特徴とする請求項２に記載のヒンジ装置。
【請求項４】
前記ヒンジプレートが、前記支持部材に隣接するヒンジプレートノッチを有する、ことを特徴とする請求項１乃至３のいずれか１項に記載のヒンジ装置。
【請求項５】
前記ヒンジプレートが、上部ヒンジ支持体と下部ヒンジ支持体とを有する分割ヒンジプレートであり、前記上部ヒンジ支持体および前記下部ヒンジ支持体の各々が、結合部材を有する、ことを特徴とする請求項１乃至４のいずれか１項に記載のヒンジ装置。
【請求項６】
前記上部ヒンジ支持体が、第２端部において前記上部ヒンジ支持体の平面から延び、前記第１端部から延びる前記結合部材と並ぶ、第２結合部材を有する、ことを特徴とする請求項５に記載のヒンジ装置。
【請求項７】
前記ヒンジプレートが、前記ヒンジプレートの実質部分に沿って前記ヒンジプレートの平面から突出するプレート補強材を有する、ことを特徴とする請求項１乃至６のいずれか１項に記載のヒンジ装置。
【請求項８】
前記ヒンジプレートが、
細長いヒンジ部材であって、前記ヒンジ部材が、１対の縦に並ぶ細長い開口部を有する、細長いヒンジ部材と、
前記細長い開口部の各々に摺動可能に結合し、ピン受け端部を有する、支持部材と、
前記１対の細長いヒンジ部材の各々に枢着する結合部材とを備える、ことを特徴とする請求項１乃至７のいずれか１項に記載のヒンジ装置。
【請求項９】
前記結合部材が、調整スロットを有する、ことを特徴とする請求項８に記載のヒンジ装置。
【請求項１０】
２つの連続的に並ぶ細長いヒンジ部材の端部に取り付けるように構成したヒンジコネクタを更に備える、ことを特徴とする請求項９に記載のヒンジ装置。
【請求項１１】
マンウェイフランジに対するマンウェイカバーの取り外しおよび設置を取り扱う方法であって、
前記マンウェイカバーの部分から複数のマンウェイカバーボルトを取り外すステップと、
１対のヒンジプレートを有する可搬式マンウェイカバーヒンジ装置を組み立てるステップであって、
前記ヒンジプレートのそれぞれが、マンウェイカバーおよびマンウェイフランジのボルト開口部と位置を合わせるために配置するヒンジ穴を有する支持部材と、ヒンジプレートそれぞれの第１端部に隣接し、前記ヒンジプレートの平面から突出する、結合部材と、前記１対のヒンジプレートの結合部材のオーバーラッピング対を接続するピボット接続部とを有し、
前記マンウェイカバーボルトを取り外す前記マンウェイカバーおよび前記マンウェイフランジの前記部分の前記複数のボルト開口部のうちの１つに前記支持部材のヒンジ穴を位置合わせするステップと、
前記１対のヒンジプレートの一方および対応するマンウェイカバーボルト開口部の各ヒンジ穴にピンを挿入し、前記１対のヒンジプレートの他方および対応するマンウェイフランジボルト開口部の各ヒンジ穴にピンを挿入するステップと、
前記対応するカバーボルト開口部およびフランジボルト開口部の中に各ピンを固定するステップと、
残りのマンウェイカバーボルトを前記マンウェイカバーから取り外すステップとを有する、ことを特徴とする方法。
【請求項１２】
マンウェイフランジに対するマンウェイカバーの取り外しおよび設置を取り扱う方法であって、
前記マンウェイカバーの部分から複数のマンウェイカバーボルトを取り外すステップと、
前記マンウェイカバーおよび前記マンウェイフランジの複数の対応する開口部を構成するステップと、
１対のヒンジプレートを有する可搬式マンウェイカバーヒンジ装置を組み立てるステップであって、
前記ヒンジプレートそれぞれが、前記マンウェイカバーおよび前記マンウェイフランジの前記複数の構成した開口部の１つと位置を合わせるために配置するヒンジ穴を有する支持部材と、ヒンジプレートのそれぞれの第１端部に隣接し、かつ前記ヒンジプレートの平面から突出する、結合部材と、前記１対のヒンジプレートの結合部材のオーバーラッピング対を接続するピボット接続部とを有し、
前記マンウェイカバーボルトを取り外す前記マンウェイカバーおよび前記マンウェイフランジの前記部分の前記複数のボルト開口部のうちの１つに前記支持部材のヒンジ穴を位置合わせするステップと、
前記１対のヒンジプレートの一方および対応するマンウェイカバーボルト開口部の各ヒンジ穴にピンを挿入し、前記１対のヒンジプレートの他方および対応するマンウェイフランジボルト開口部の各ヒンジ穴にピンを挿入するステップと、
前記対応するカバーボルト開口部およびフランジボルト開口部の中に各ピンを固定するステップと、
残りのマンウェイカバーボルトを前記マンウェイカバーから取り外すステップとを有する、ことを特徴とする方法。
【請求項１３】
マンウェイフランジに結合するマンウェイカバーと、前記マンウェイカバーの取り外しおよび設置を取り扱うための可搬式マンウェイヒンジ装置との組合せにおいて、
前記マンウェイフランジに結合する前記マンウェイカバーと、
前記マンウェイカバーおよび前記マンウェイフランジに結合する前記可搬式マンウェイヒンジ装置とを備え、
前記可搬式マンウェイヒンジ装置は、
１対のヒンジプレートであって、一方のヒンジプレートが、前記マンウェイカバーのボルト開口部に位置を合わせるために配置するヒンジ穴を有する支持部材を有し、他方のヒンジプレートが、カバーフランジのボルト開口部に位置を合わせるために配置するヒンジ穴を有する支持部材を有する、ヒンジプレートと、
前記マンウェイカバーの前記ボルト開口部に位置を合わせた前記ヒンジ穴に挿入する着脱可能なピンと、前記カバーフランジの前記ボルト開口部に位置を合わせた前記ヒンジ穴に挿入する着脱可能なピンと、
前記ヒンジプレートのそれぞれの第１端部に隣接し、前記ヒンジプレートの平面から突出する、結合部材と、
前記１対のヒンジプレートの前記結合部材のオーバーラッピング対を接続するピボット接続部とを備える、ことを特徴とするマンウェイカバーと可搬式マンウェイヒンジ装置との組合せ。
【請求項１４】
前記結合部材が、結合部材本体と前記結合部材本体の一端における結合部材タブとを有し、かつ前記結合部材本体の平面から突出する、調節可能な結合部材であり、前記結合部材タブが、ヒンジプレートにおける結合部材スロットを通して延び、前記結合部材本体が、前記ヒンジプレートに固定する、ことを特徴とする請求項１３に記載の組合せ。
【請求項１５】
前記調節可能な結合部材が、前記結合部材本体と前記ヒンジプレートとの間に配置する調整スペーサを更に有する、ことを特徴とする請求項１４に記載の組合せ。
【請求項１６】
前記ヒンジプレートが、上部ヒンジ支持体と下部ヒンジ支持体とを有する分割ヒンジプレートであり、前記上部ヒンジ支持体および前記下部ヒンジ支持体の各々が、結合部材を有する、ことを特徴とする請求項１３乃至１５のいずれか１項に記載の組合せ。
【請求項１７】
前記ヒンジプレートが、前記ヒンジプレートの実質部分に沿って前記ヒンジプレートの平面から突出するプレート補強材を有する、ことを特徴とする請求項１３乃至１６のいずれか１項に記載の組合せ。